(57)【特許請求の範囲】
【請求項１】
機械本体は、箱体につい立てを載せて形成し、該つい立て上に設けた室内を区分けするためのエアーカーテンを形成する吹出口と、該エアーカーテンにより区分けしたいずれか一方の空間に位置させて前記箱体上部に設けた吸引口と、いずれか他方の空間に位置させて前記箱体に設けた排気口とを有し、前記機械本体の前記箱体内に送風機及び空気清浄機を前記吸引口と前記排気口との間に位置させて設け且つ前記つい立て内にクロスフローファンを設けてなり、前記吸引口を内側にして前記室内の一部を囲う形に１以上の前記機械本体を配置し、前記排気口からの清浄エアー排気量を少なくとも前記エアーカーテンによる外部巻込エアー量よりも大となるように設定し、前記吸引口側の空間内を負圧状態にすると共に喫煙空間とし且つ該喫煙空間内の前記箱体周辺を漂う煙草の煙を前記吸引口から直接吸引できるようにしたことを特徴とする気流制御型分煙機。
【請求項２】
前記機械本体の吸引口の上方に遮蔽板を設けた請求項１記載の気流制御型分煙機。
【請求項３】
前記機械本体の吸引口上に竜巻式吸引装置を設けた請求項１記載の気流制御型分煙機。
【請求項４】
前記竜巻式吸引装置は、筒体の側壁に切欠口を設けると共に、筒体の長手方向端部の少なくとも一方に吸引孔を設け、該吸引孔を前記送風機のサクション側に接続してなる請求項３記載の気流制御型分煙機。
【請求項５】
前記筒体の切欠口近傍に沿って吸引開口を設けた請求項４記載の気流制御型分煙機。
【請求項６】
前記機械本体は移動自在である請求項１、２、３、４又は５記載の気流制御型分煙機。
【請求項７】
前記吹出口は形成するエアーカーテンの方向を可変とした請求項１、２、３、４、５又は６記載の気流制御型分煙機。
【請求項８】
前記機械本体の側部に前記吸引口側空間と前記排気口側空間とを分ける板状物を折り畳み可能に取り付け、該板状物に室内を区分けするためのエアーカーテンを形成する吹出口を設けた請求項１、２、３、４、５又は６記載の気流制御型分煙機。
【請求項９】
前記板状物の一部を透明板にすると共に、該透明板に掲示物を挟み込めるようにした請求項８記載の気流制御型分煙機。
【発明の詳細な説明】
【０００１】
【発明の属する技術分野】
本発明は、建築物、航空機、車両等の室内の一角をエアーカーテンにより自由自在に仕切り、その一角を喫煙空間にして煙を喫煙空間外に直接出さないようにし、かつ喫煙空間内では煙を直ちに吸引して、他の喫煙者に煙がかからないようにした気流制御型分煙機に関する。
【０００２】
【従来の技術】
従来、室内の一角を仕切ってその場所を喫煙コーナーや喫茶室にする方法として、つい立てを使用する場合が多い。このつい立てはあくまで間仕切りが目的であるから、上部空間からエアーが流出入するから内部あるいは外部の汚染されたエアー（煙草の煙、排気ガス、有害ガス）流出入する弊害が生じる。
【０００３】
そこで、この弊害を防止するため、図２０に示すようなエアーカーテン発生装置を内蔵したつい立てがある。このつい立てａは、送風機ｂを内蔵し上部にエアーカーテンを形成する吹出口ｃを設置し、更に側面に吸引口ｄを設置してなる。このつい立てａにて吸引口ｄを内側にして室内の一角を囲う。更に、このつい立てａの設置場所上方の天井ｅに吸引ファンｆを設置している。送風機ｂを作動させて吹出口ｃからエアーを吹き出しエアーカーテンｇを形成して、床ｈ、天井ｅ、つい立てａ等と相まって喫煙空間ｉをつくり、この喫煙空間ｉ内のエアーを天井ｅの吸引ファンｆにて外部に排出して喫煙空間ｉ内を負圧にして、室内の他の空間に汚染エアーを流出しないようにしている。
【０００４】
また、図２１に示すような喫煙ユニット（実開平７−３５９２７号公報参照）がある。この喫煙ユニットは、天井部ｊの周囲に吹出口ｃがあり天井部ｊの中央部に吸引口ｄがあって、吹出口ｃからのエアーカーテンｇにより床ｈ、天井部ｊと相まって喫煙空間ｉをつくり、この喫煙空間ｉ内のエアーを天井部ｊの吸引口ｄにて吸引排出して喫煙空間ｉ内を一時的に負圧にして、室内の他の空間に煙や悪臭を流出しないようにし、天井部ｊ内にある空気清浄機により清浄エアーとして再び吹出口ｃから吹き出し、循環させているものである。
【０００５】
また、図２２に示すような喫煙カウンターｋは、部屋の隅に配置され、カウンター本体１の側面に排気口ｍを設けると共に上面に吸引口ｎを設け、該吸引口ｎの上方に遮蔽板ｏを支柱ｐにより支持して設け、吸引口ｎと排気口ｍとの間の喫煙カウンターｋ内に空気清浄機を設けたものである。この喫煙カウンターｋの周辺で人が煙草を吸うと、煙は周辺のエアーと共に遮蔽板ｏにガイドされ吸引口ｎからカウンター本体１内に入り、空気清浄機により清浄化されて排気口ｍから外部に排気される。
【０００６】
【発明が解決しようとする課題】
しかしながら、上述の図２０に示す例では、室内の一角をつい立てａにて仕切って、直ぐにその場所を喫煙コーナーや喫茶室にすることは出来ても、簡易的に作りずらく、喫煙者と言えども他人の煙は出来れば避けたいという願望を満たすことは出来ない。
【０００７】
また、図２１の喫煙ユニットは、大がかりなものであるから、容易に移動出来ず、簡易的に喫煙コーナーを室内の一角に作るというようなことは不可能であり、予め大きさが決まっているから、広いスペースを臨時の喫煙コーナーにするということもで出来ない。また、天井部ｊを支持する支柱ｋが必要となり、更に、天井ｅに吊るすようなタイプにしても、一部空間ｉ内を一時的に負圧状態にすることが出来ても、中央部にある吸引口ｄから吸い込んだエアーは、その全量を再び吹出口ｃからのエアーカーテンｇとするから、結局は喫煙空間ｉ内を恒常的に負圧状態にすることが出来ない。従って、室内の他の空間に煙が流出してしまい良好な喫煙空間ｉとなりずらい。喫煙者と言えども他人の煙は出来れば避けたいという願望も満たすことが出来ない。
【０００８】
更に、図２２に示すような喫煙カウンターｋは、室内の隅に配置すれば簡単に喫煙コーナーとなり、喫煙者と言えども他人の煙は出来れば避けたいという願望を満たすことが出来都合がよい。しかし、喫煙カウンターｋから少し離れると、煙を吸引出来ず、喫煙コーナーから煙が漏れ易く、非喫煙者に迷惑が及ぶこともある。
【０００９】
そこで、本発明は、上記事情に鑑みてなされたもので、室内の一角を容易に喫煙空間に出来、煙をその喫煙空間内から流出させず、清浄化してから室内に戻し循環させ、喫煙空間内では煙を直ちに吸引して、他の喫煙者に煙がかからないように出来る気流制御型分煙機を提供することを課題とする。
【００１０】
【課題を解決するための手段】
上記課題を解決するため、請求項１記載の発明は、機械本体は、箱体につい立てを載せて形成し、該つい立て上に設けた室内を区分けするためのエアーカーテンを形成する吹出口と、該エアーカーテンにより区分けしたいずれか一方の空間に位置させて前記箱体上部に設けた吸引口と、いずれか他方の空間に位置させて前記箱体に設けた排気口とを有し、前記機械本体の前記箱体内に送風機及び空気清浄機を前記吸引口と前記排気口との間に位置させて設け且つ前記つい立て内にクロスフローファンを設けてなり、前記吸引口を内側にして前記室内の一部を囲う形に１以上の前記機械本体を配置し、前記排気口からの清浄エアー排気量を少なくとも前記エアーカーテンによる外部巻込エアー量よりも大となるように設定し、前記吸引口側の空間内を負圧状態にすると共に喫煙空間とし且つ該喫煙空間内の前記箱体周辺を漂う煙草の煙を前記吸引口から直接吸引できるようにしたことを特徴とする。したがって、この特徴によれば、室内をエアーカーテンにより区分けし、一方を喫煙空間とし、この中の気流制御型分煙機の箱体周辺を漂う煙草の煙を直ちに吸引口から吸引し、空気清浄機により清浄エアーにし排気口から喫煙空間外に排出し、この清浄エアー排気量をエアーカーテンによる外部巻込エアー量よりも多く排気口から排出するから、喫煙空間を負圧状態に保持する。一方、直ちに吸引口から吸引されなかった煙草の煙も、喫煙空間がエアーカーテンで仕切られ負圧状態であるから、結局吸引口から吸引され空気清浄機により清浄エアーにされ、排気口から喫煙空間外に排出される。
【００１１】
請求項２記載の発明は、前記機械本体の吸引口の上方に遮蔽板を設けたことを特徴とする。したがって、この特徴によれば、吹出口からのエアーカーテンに対する相互干渉を緩和すると共に、吸引口の水平方向の直接吸引の範囲を広げる。
【００１２】
請求項３記載の発明は、前記機械本体の吸引口上に竜巻式吸引装置を設けたことを特徴とする。したがって、この特徴によれば、吹出口からのエアーカーテンに対する相互干渉をしない範囲で、吸引口の直接吸引の範囲を最大限に広げる。
【００１３】
請求項４記載の発明は、前記竜巻式吸引装置は、筒体の側壁に切欠口を設けると共に、筒体の長手方向端部の少なくとも一方に吸引孔を設け、該吸引孔を前記送風機のサクション側に接続してなることを特徴とする。したがって、この特徴によれば、簡単な構造で、吹出口からのエアーカーテンに対する相互干渉をしない範囲での、吸引口の直接吸引の範囲を最大限に広げることを可能にする。
【００１４】
請求項５記載の発明は、前記筒体の切欠口近傍に沿って吸引開口を設けたことを特徴とする。したがって、この特徴によれば、筒体内の竜巻をより安定化し、かつ吸引開口からの吸引も期待できる。
【００１５】
請求項６記載の発明は、前記機械本体は移動自在であることを特徴とする。したがって、この特徴によれば、室内あらゆる所に簡単に移動して、喫煙空間を創設出来るし、喫煙者同士も他人の煙を吸うことがほとんどなくなる。
【００１６】
請求項７記載の発明は、前記吹出口は形成するエアーカーテンの方向を可変としたことを特徴とする。したがって、この特徴によれば、室内の状況に応じてエアーカーテンの方向を変え、より適切な喫煙空間を創設出来る。
【００１７】
請求項８記載の発明は、前記機械本体の側部に前記吸引口側空間と前記排気口側空間とを分ける板状物を折り畳み可能に取り付け、該板状物に室内を区分けするためのエアーカーテンを形成する吹出口を設けたことを特徴とする。したがって、この特徴によれば、機械本体の側部の板状物を広げれて室内に設置し、吹出口からエアーを吹き出し、エアーカーテンを形成すれば、より広い範囲の喫煙空間を創設出来る。
【００１８】
請求項９記載の発明は、前記板状物の一部を透明板にすると共に、該透明板に掲示物を挟み込めるようにしたことを特徴とする。したがって、この特徴によれば、見通しがよくなり圧迫感が減り、広告などの掲示物を挟み込め、外れなくなる。
【００１９】
【発明の実施の形態】
以下、本発明の実施の形態を図１〜１９に基づいて詳述する。
図１は本発明の実施の形態である気流制御型分煙機を示す正面図、図２はこの気流制御型分煙機の断面図である。両図において、１は気流制御型分煙機を示し、この気流制御型分煙機１は、機械本体２を含み、この機械本体２は、箱体１０につい立て１１を載せて形成し、該つい立て１１上に設けた室内Ａを区分けするためのエアーカーテン３を形成する吹出口４と、該エアーカーテン３により区分けしたいずれか一方の空間に位置させて箱体１０上部に設けた吸引口５と、いずれか他方の空間に位置させて箱体１０に設けた排気口６とが有り、機械本体２の箱体１０内に送風機７及び空気清浄機８を吸引口５と排気口６との間に位置させて設け且つつい立て１１内にクロスフローファン１５を設けてなり、吸引口５を内側にして室内Ａの一部を囲う形に１以上の機械本体２を配置し、  そして、この排気口６からの清浄エアー排気量を少なくともエアーカーテン３による外部巻込エアー量Ｑよりも大となるように設定し、吸引口５側の室内Ａの空間内を負圧状態にすると共に喫煙空間９とし且つこの喫煙空間９内の箱体１０周辺を漂う煙草の煙を吸引口５から直接吸引できるようにしたものである。
【００２０】
前記機械本体２は、すでに述べたように、箱体１０につい立て１１を載せたような形状をなし、箱体１０上に設けた天板１２を含み、その下面にバー１３が取り付けられ、そのバー１３にキャスター１４が設けられ、自在に移動出来るようになっている。また、つい立て１１も、すでに述べたように、その内部にクロスフローファン１５が内蔵され、その上面に前記吹出口４が設けられ、側面にエアーカーテン３を形成するための循環吸込口１６が設けられいる。そして、クロスフローファン１５が作動することにより、循環吸込口１６からエアーを吸い込み吹出口４から吹き出してエアーカーテン３を上方に形成する。そして、機械本体２を設置した室内Ａは、機械本体２及び上記エアーカーテン３を境として気流制御的に区分けされることになる。
なお、循環吸込口１６は、図３に示すように、排気口６と同じ空間、すなわち、非喫煙空間１７に位置させてもよく、この場合、喫煙空閧９にいる喫煙者が故意に循環吸込口１６に煙草の煙を吹きかけることが出来なくなり、都合がよい。
【００２１】
前記吸引口５は、箱体１０上の天板１２に設けられ、その上方に遮蔽板２０が設けられている。この遮蔽板２０と天板１２との間にネット状物２１が介在し、吸引口５内に異物が入らないようにしている。遮蔽板２０は、そのスペースの有効利用と、天板１２近傍に漂う煙草の煙をすばやく吸引口５に導くためと、循環吸込口１６との相互干渉を遮断するためとである。したがって、循環吸込口１６との相互干渉を遮断する観点から、あるいは視覚的意味から遮蔽板２０は二点鎖線に示すように設置されてもよい。なお、吸引口５にネット状物２１を直接張り、遮蔽板２０を設けなくてもよい。
【００２２】
前記機械本体２内には、上述のように、送風機７及び空気清浄機８が設けられているが、送風機７は必要な容量及び圧力の条件が満たせば特に限定されない。空気清浄機８は、この実施例では汚染エアー中の比較的大きな粒子を除去するプレフィルター２２と、プレフィルター２２通過後の微粒子を除去する電気集塵機２３と、臭気成分を除去する脱臭フィルター２４との３部構成となっている。なお、電気集塵機２３の代わりに、脱臭機能を併せ持つ高性能なメカニカルフィルターを用いてもよい。いずれにしても、この空気清浄機８は、ある一定の性能をクリアーするものであれば、特に限定がない。なお、送風機７は、この実施例では電気集塵機２３と、脱臭フィルター２４との間に設置されている。
【００２３】
前記排気口６は、エアーカーテン３により気流制御的に区分けされた他方の空間、すなわち、前記非喫煙空間１７に位置している。この排気口６は、吸引口５から吸引され前記空気清浄機８により清浄化されたエアーすべてが排気される。
【００２４】
図４は本発明の他の実施形態を示す気流制御型分煙機１ａであり、この気流制御型分煙機１ａと図１〜３の実施形態との相違点は、天板１２の吸引口５から吸引された煙草の煙がサイドボックス２５を通り箱体１０の側板２６から入るようになっている点と、箱体１０の下面に転倒防止板２７が取り付けられ、さらに、この転倒防止板２７に移送用のためのキャスター１４が着脱自在に取り付けられている点にある。その他の構成は図１〜３の実施形態と同様なので図に符号を付してその説明を省略する。
【００２５】
次に、上記構成になる気流制御型分煙機１、１ａを使用して、室内Ａの一角を喫煙空間９と非喫煙空間１７とに区分する方法について述べる。
図５は気流制御型分煙機１、１ａを使用した最も簡単な喫煙空間９と非喫煙空間１７とに区分する方法を示すもので、この室内Ａの一角は、直角に交わる壁３０、３１で囲まれているから、気流制御型分煙機１あるいは１ａ（以下単に気流制御型分煙機１とする。）を４５度斜めに設置し、直角三角形の喫煙空間９を創設する。この際、壁３０、３１側に吸引口５を向け、壁３０、３１の無い方に排気口６を向けて、気流制御型分煙機１を設置する。また、図６は気流制御型分煙機１を２台Ｌ字状に設置し、矩形の喫煙空間９を創設するものである。
【００２６】
そして、図２、５、６において、気流制御型分煙機１を作動させると、吹出口４からエアーが吹き出て、エアーカーテン３を形成してそれを境に室内Ａを喫煙空間９と非喫煙空間１７とに区分する。喫煙空間９内の喫煙者から出た煙草の煙は、他の喫煙者に影響しないで直ちに捕捉されて、エアーと共に吸引口５へ吸引されて、空気清浄機８により清浄化され、排気口６から非喫煙空間１７に排出される。一方、捕捉されなかった煙は喫煙空間９内を漂うが、排気口６からの清浄エアー排気量が、エアーカーテン３による外部巻込エアー量Ｑよりも大に設定してあるから、喫煙空間９が負圧状態となって、喫煙空間９内を漂う煙草の煙は非喫煙空間１７に出ることなく、上述のように吸引口５へエアーと共に吸引されて、清浄化され清浄エアーとして、非喫煙空間１７に排出される。
【００２７】
図７〜１０は本発明の他の実施形態を示す気流制御型分煙機１ｂであり、この気流制御型分煙機１ｂと図１〜３の実施形態との相違点は、吸引口５の上方にある遮蔽板２０及びネット状物２１の代わりに、竜巻式吸引装置４０を吸引口５上に設けた点にある。
【００２８】
この竜巻式吸引装置４０は、筒体４１の側壁４２に切欠口４３を設けると共に、筒体４１の長手方向端部の少なくとも一方に吸引孔４４を設け、この吸引孔４４を天板１２の吸引口５を通して送風機７のサクション側に接続してなる。この吸引孔４４が側板４５に明けられ、この吸引孔４４を覆う側部カバー４６を側板４５に取り付け、さらに、筒体４１の上方を覆うように上部カバー４７を取り付け、このカバー４７と筒体４１の切欠口４３とに沿った隙間を吸引開口４８とし、この吸引開口４８も上記吸引口５を通して送風機７のサクション側に接続している。
【００２９】
したがって、送風機７が作動すると、竜巻式吸引装置４０の吸引開口４８及び吸引孔４４からエアーを吸引するから、吸引開口４８にエアーが入る共に切欠口４３から筒体４１に入り、エアー流と側壁４２との間に不連続面が出来、小さな渦４９が多数発生する。小さく多数発生した渦４９の軸方向から、すなわち、吸引孔４４からエアーを吸引してやると、多数発生した渦４９のエネルギーを収束させ、竜巻ｔのコアを形成し、このコアの回りを自由渦が旋回して、エアーを吸引孔４４に向かう竜巻ｔを人工的に発生させるのである。すなわち、筒体４１内の長手方向全体に伸びた竜巻ｔが発生しているから、竜巻ｔが有する渦収束力でより広い範囲の煙草の煙をエアーと共に吸引するのである。その他の構成、作用は図１〜３の実施形態と同様なので図面に符号を付してその説明を省略する。
【００３０】
図１１は他の実施形態を示す竜巻式吸引装置４０ａであり、この竜巻式吸引装置４０ａと図７〜１０に示す実施形態との相違点は、筒体４１に近在する吸引開口４８が切欠口４３の下にあり、上部カバー４７の代わりにわずかに湾曲したガイド板５０が切欠口４３の下方に設けれて、竜巻ｔが逆回転になる点にある。その他の構成、作用は図７〜１０の実施形態と同様なので図面に符号を付してその説明を省略する。
【００３１】
図１２は他の実施形態を示す竜巻式吸引装置４０ｂであり、この竜巻式吸引装置４０ｂと図７〜１０に示す実施形態との相違点は、筒体４１の長手方向両端にある側板４５に近在した筒体４１の側壁４２に吸引孔４４ａが明けられ、そのために側部カバー４６が無い点にある。その他の構成、作用は図７〜１０の実施形態と同様なので図面に符号を付してその説明を省略する。
【００３２】
図１３〜１５は本発明の他の実施形態を示す気流制御型分煙機１ｃであり、この気流制御型分煙機１ｃと図１〜３の実施形態との相違点は、機械本体２の両側部にも室内Ａを区分けするためのエアーカーテン３を形成する吹出口４ａを設け、上方ばかりか横方向にもエアーカーテン３を形成し、喫煙空間９をより広く創設出来、かつ喫煙空間９内の喫煙者から出た煙草の煙がなお一層非喫煙空間１７に流出しないようにした点にある。すなわち、この循環吸込口１６は、図３と同様に、排気口６と同じ空間である非喫煙空間１７に位置させ、クロスフローファン１５を作動させて、非喫煙空間１７側のエアーを循環吸込口１６から吸い込み、吹出口４ａから吹き出してエアーカーテン３を横方向に形成する。したがって、この吹出口４ａは、吸引口５との干渉を防ぎ、しかも喫煙空間９にいる喫煙者が故意に循環吸込口１６に煙草の煙を吹きかけることも防止できて都合がよい。なお、吹出口４ａは片方でも良いし、循環吸込口１６が喫煙空間９に位置することを禁ずるものではない。その他の構成、作用は図１〜３の実施形態と同様なので図面に符号を付してその説明を省略する。
【００３３】
図１６、１７は本発明の他の実施形態を示す気流制御型分煙機１ｄであり、この気流制御型分煙機１ｄと図１３〜１５の実施形態との相違点は、固定状態の吹出口４ａを首振り可能な吹出口４ｂとした点にある。すなわち、この吹出口４ｂは機械本体２の両側部に設けた取付具５１に軸支し、必要に応じて吹出口４ｂを軸５２を中心として回動させ、エアーカーテン３の形成方向を変える。なお、吹出口４ｂは片方でも良く、また図１７中、５３はエアー導入板である。その他の構成、作用は図１３〜１５の実施形態と同様なので図面に符号を付してその説明を省略する。
【００３４】
図１８、１９は本発明の他の実施形態を示す気流制御型分煙機１ｅであり、この気流制御型分煙機１ｅと図１〜３の実施形態との相違点は、機械本体２の両側部に長つい立て状の板状物１１ａを兆番５４にて折り畳み可能に設け、この板状物１１ａに吹出口４ｃを設け、さらに、この板状物１１ａの一部を透明板５５とし、この透明板５５に掲示物５６を挟み込めるようにした点にある。したがって、使用時に板状物１１ａを広げて上方のエアーカーテン３幅を広く形成し、喫煙空間９をより広く創設出来、しかも喫煙空間９内の喫煙者から出た煙草の煙がなお一層非喫煙空間１７に流出しないようになっている。それに加えて、板状物１１ａの一部を透明板５５としているから、見通し良く圧迫感がなくなり、さらに、透明板５５に広告などの掲示物５６を挟み込めば、設置場所によっては広告料を取れる可能性がある。なお、吹出口４ｃ付きの板状物１１ａは片方でも良いし、循環吸込口１６が非喫煙空間１７に位置しても良く、また図１８、１９中、５７はキャスターである。その他の構成、作用は図１〜３の実施形態と同様なので図面に符号を付してその説明を省略する。
【００３５】
【発明の効果】
以上詳述したように、本発明の気流制御型分煙機によれば、以下のような効果がある。
請求項１の発明は、室内をエアーカーテンにより区分けし、一方を喫煙空間とし、この中の気流制御型分煙機の箱体周辺を漂う煙草の煙を直ちに吸引口から吸引し、空気清浄機により清浄エアーにし排気口から喫煙空間外に排出し、この清浄エアー排気量をエアーカーテンによる外部巻込エアー量よりも多く排気口から排出するから、喫煙空間を負圧状態に保持する。一方、直ちに吸引口から吸引されなかった煙草の煙も、喫煙空間がエアーカーテンで仕切られ負圧状態であるから、結局吸引口から吸引され空気清浄機により清浄エアーにされて、排気口から喫煙空間外に排出される。したがって、室内の一角を容易に喫煙空間に出来、煙草の煙をその喫煙空間内から流出させず、清浄化してから室内に戻し循環させ、喫煙空間内では煙草の煙を直ちに吸引して、他の喫煙者に煙草の煙がかからないように出来る効果がある。
【００３６】
請求項２の発明は、吹出口からのエアーカーテンに対する相互干渉を緩和すると共に、吸引口の水平方向の直接吸引の範囲を広げる。したがって、上記効果に加えて、喫煙空間内では煙を直ちに吸引して、なお一層他の喫煙者に煙がかからないように出来る。
【００３７】
請求項３の発明は、吹出口からのエアーカーテンに対する相互干渉をしない範囲で、人工的に作った竜巻により吸引口の直接吸引の範囲を最大限に広げる。したがって、喫煙空間内で喫煙者同士が互いに他人が吐き出した煙草の煙を吸うことがほとんどなくなる。
【００３８】
請求項４の発明は、簡単な構造で、吹出口からのエアーカーテンに対する相互干渉をしない範囲での、吸引口の直接吸引の範囲を最大限に広げることを可能にする。したがって、簡単な構造のものでありながら、喫煙者といえども他人が吐いた煙草の煙を吸いたくないという、希望を叶えることが出来る。
【００３９】
請求項５の発明は、筒体内の竜巻をより安定化し、かつ吸引開口からの吸引も期待できる。したがって、筒体内の竜巻により捕捉し損ねた煙草の煙を再び捕捉できて、喫煙者も他人が吐いた煙草の煙を吸いたくないという、希望をより一層叶えることが出来る。
【００４０】
請求項６の発明は、室内あらゆる所に簡単に移動して、喫煙空間を創設出来るし、喫煙者同士も他人の煙を吸うことがほとんどなくなる。したがって、非喫煙者も喫煙者も共に他人の煙草の煙を吸う機会がほとんどなくなる。
【００４１】
請求項７の発明は、室内の状況に応じてエアーカーテンの方向を変え、より適切な喫煙空間を創設出来る。したがって、室内をその形状にほとんど制約されずに比較的広い範囲の喫煙空間を創設出来、しかもその喫煙空間は煙草の煙がより一層洩れない構造のものとなる。
【００４２】
請求項８記載の発明は、機械本体の側部の板状物を広げれて室内に設置し、吹出口からエアーを吹き出し、エアーカーテンを形成すれば、より広い範囲の喫煙空間を創設出来る。したがって、機械本体の側部の板状物を広げるだけで、より広い範囲の、しかも煙草の煙がより一層洩れない構造の喫煙空間を創設することが出来る。
【００４３】
請求項９記載の発明は、見通しがよくなり圧迫感が減り、広告などの掲示物を挟み込め、外れなくなる。したがって、犯罪の予防や事故の早期発見が可能となり、透明板に広告などの掲示物を挟み込めば、人の多い設置場所では広告料を取ることが出来、その広告料により、機器のメンテナンス費用や設置費用も捻出することが可能になる。
【図面の簡単な説明】
【図１】本発明の実施の形態である気流制御型分煙機を示す正面図。
【図２】本発明の実施の形態である気流制御型分煙機を示す断面図。
【図３】本発明の実施の形態である気流制御型分煙機の一部を示す断面図。
【図４】本発明の他の実施の形態である気流制御型分煙機を示す断面図。
【図５】本発明の実施の形態である気流制御型分煙機の設置状態を示す平面図。
【図６】本発明の実施の形態である気流制御型分煙機の他の設置状態を示す平面図。
【図７】本発明の他の実施の形態である気流制御型分煙機の一部を断面した側面図。
【図８】本発明の他の実施の形態である気流制御型分煙機を断面した断面図。
【図９】図８の竜巻式吸引装置の長手方向の断面図。
【図１０】図８の竜巻式吸引装置の径方向の断面図。
【図１１】本発明の他の実施の形態を示す竜巻式吸引装置の径方向の断面図。
【図１２】本発明の他の実施の形態を示す竜巻式吸引装置の径方向の断面図。
【図１３】本発明の他の実施の形態である気流制御型分煙機を示す正面図。
【図１４】本発明の他の実施の形態である気流制御型分煙機を切欠しその一部を断面した平面図。
【図１５】本発明の他の実施の形態である気流制御型分煙機の設置状態を示す平面図。
【図１６】本発明の他の実施の形態である気流制御型分煙機を示す正面図。
【図１７】図１６の吹出口の径方向の断面図。
【図１８】本発明の他の実施の形態である気流制御型分煙機を示す斜視図。
【図１９】本発明の他の実施の形態である気流制御型分煙機の使用状態を示す斜視図。
【図２０】従来例を示す断面図。
【図２１】従来例を示す斜視図。
【図２２】従来例を示す斜視図。
【符号の説明】
１、１ａ、１ｂ、１ｃ、１ｄ、１ｅ    気流制御型分煙機
２                      機械本体
３、ｇ                  エアーカーテン
４、４ａ、４ｂ、４ｃ    吹出口
５、ｄ、ｎ              吸引口
６、ｍ                  排気口
７、ｂ                  送風機
８                      空気清浄機
９、ｉ                  喫煙空間
１０                    箱体
１１、ａ                つい立て
１１ａ                  板状物
１２                    天板
１３                    バー
１４、５７              キャスター
１５                    クロスフローファン
１６                    循環吸込口
１７                    非喫煙空間
２０、ｏ                遮蔽板
２１                    ネット状物
２２                    プレフィルター
２３                    電気集塵機
２４                    脱臭フィルター
２５                    サイドボックス
２６、４２、４５        側板
２７                    転倒防止板
３０、３１              壁
４０、４０ａ、４０ｂ    竜巻式吸引装置
４１                    筒体
４３                    切欠口
４４、４４ａ            吸引孔
４６                    側部カバー
４７                    上部カバー
４８                    吸引開口
４９                    渦
５０                    ガイド板
５１                    取付具
５２                    軸
５３                    エアー導入板
５４                    兆番
５５                    透明板
５６                    掲示物
Ａ                      室内
ｅ                      天井
ｆ                      吸引ファン
ｈ                      床
ｊ                      天井部
ｋ                      喫煙カウンター
ｌ                      カウンター本体
ｐ                      支柱
Ｑ                      外部巻込エアー量
【図１】
0003627172.tif 000002
【図２】
0003627172.tif 000003
【図３】
0003627172.tif 000004
【図４】
0003627172.tif 000005
【図５】
0003627172.tif 000006
【図６】
0003627172.tif 000007
【図７】
0003627172.tif 000008
【図８】
0003627172.tif 000009
【図９】
0003627172.tif 000010
【図１０】
0003627172.tif 000011
【図１１】
0003627172.tif 000012
【図１２】
0003627172.tif 000013
【図１３】
0003627172.tif 000014
【図１４】
0003627172.tif 000015
【図１５】
0003627172.tif 000016
【図１６】
0003627172.tif 000017
【図１７】
0003627172.tif 000018
【図１８】
0003627172.tif 000019
【図１９】
0003627172.tif 000020
【図２０】
0003627172.tif 000021
【図２１】
0003627172.tif 000022
【図２２】
0003627172.tif 000023